(57)【要約】【課題】流体を貯留する貯留部を破損しにくくすること。【解決手段】生体に注入される流体を貯留する貯留部と、前記流体を前記生体に注入するポンプ部と、を備え、前記貯留部が前記ポンプ部よりも前記生体側に設けられていることを特徴とする流体注入装置である。また、前記ポンプ部は、前記流体が流動するチューブと、当該チューブを順次押圧する複数のフィンガーと、当該フィンガーを順次移動させるカム部と、当該カム部を回転駆動するモーター部と、を備えることが望ましい。【選択図】図４
2014079325.tif 000002
【特許請求の範囲】
【請求項１】
生体に注入される流体を貯留する貯留部と、
前記流体を前記生体に注入するポンプ部と、
を備え、前記貯留部が前記ポンプ部よりも前記生体側に設けられていることを特徴とする流体注入装置。
【請求項２】
請求項１に記載の流体注入装置であって、
前記ポンプ部は、前記流体が流動するチューブと、当該チューブを順次押圧する複数のフィンガーと、当該フィンガーを順次移動させるカム部と、当該カム部を回転駆動するモーター部と、を備えることを特徴とする流体注入装置。
【請求項３】
請求項２に記載の流体注入装置であって、
一体的に組み立て可能な本体部とカートリッジ部とを備え、
前記チューブと前記複数のフィンガーは、前記貯留部と共に前記カートリッジ部に収納され、
前記モーター部と前記カム部は、前記本体部に収納され、
前記カートリッジ部と前記本体部が一体として組み付けられたときに、前記カム部のカム面が前記フィンガーのフィンガー端に対向する位置に配置されることを特徴とする流体注入装置。
【請求項４】
請求項３に記載の流体注入装置であって、
前記貯留部は、前記カートリッジ部においてプラスチック製の上部と、フィルム製の下部とから構成され、前記上部は曲面で構成されることを特徴とする流体注入装置。
【請求項５】
請求項４に記載の流体注入装置であって、
前記フィルム製の下部は、前記上部の曲面に沿う形状に加工されていることを特徴とする流体注入装置。
【請求項６】
請求項４又は請求項５に記載の流体注入装置であって、
前記カートリッジ部は、前記貯留部におけるプラスチック製の上部と、前記フィルム製の下部と、の間に前記流体を注入するための第１セプタムを備えることを特徴とする流体注入装置。
【請求項７】
請求項３乃至請求項６のいずれかに記載の流体注入装置であって、
前記カートリッジ部から送られる前記流体を生体内に注入する注入部を備え、
前記注入部は、前記カートリッジ部からの流体が注入される第２セプタムと、
前記第２セプタムを介して注入された流体を生体に送るためのカテーテルと、
を備えることを特徴とする流体注入装置。
【請求項８】
請求項７に記載の流体注入装置であって、
前記カートリッジ部は、前記第２セプタムに挿通し前記流体を前記注入部に送るための針部材を備え、
前記針部材の先端位置は、前記ポンプ部と前記貯留部が重なる高さ方向について前記貯留部と同じ高さであることを特徴とする流体注入装置。
【発明の詳細な説明】
【技術分野】
【０００１】
本発明は、流体を注入する流体注入装置に関する。
【背景技術】
【０００２】
インスリンを生体に注入するインスリンポンプが実用化されている。インスリンポンプなどの流体注入装置は、人体等の生体に固定され、予め設定されたプログラムに従って、流体を人体などの生体に定期的に注入する。
【０００３】
特許文献１には、カム、フィンガー、及び、チューブによる輸送機構と、リザーバーとを備えるマイクロポンプが示され、これらが平面視で隣接している構造が開示されている（図５）。
【先行技術文献】
【特許文献】
【０００４】
【特許文献１】特開２０１０−４８１２１号公報
【発明の概要】
【発明が解決しようとする課題】
【０００５】
流体注入装置は、生体に注入される流体を貯留すべき貯留部を備える。前述のように、流体注入装置は、生体に固定されるが、生体が動き回ることにより、流体注入装置が外部の物体と接触するおそれがある。そして、貯留部が破損するおそれもある。
【０００６】
貯留部が破損すると流体が漏れ出る。そして、このとき流体が漏れ出ることによりその流体が減少すると、生体に流体を注入できなくなる。よって、流体を貯留する貯留部を破損しにくくすることが望まれる。
【０００７】
本発明は、このような事情に鑑みてなされたものであり、流体を貯留する貯留部を破損しにくくすることを目的とする。
【課題を解決するための手段】
【０００８】
上記目的を達成するための主たる発明は、
生体に注入される流体を貯留する貯留部と、
前記流体を前記生体に注入するポンプ部と、
を備え、前記貯留部が前記ポンプ部よりも前記生体側に設けられていることを特徴とする流体注入装置である。
【０００９】
本発明の他の特徴については、本明細書及び添付図面の記載により明らかにする。
【図面の簡単な説明】
【００１０】
【図１】マイクロポンプ１の全体斜視図である。
【図２】マイクロポンプ１の分離図である。
【図３】マイクロポンプ１の透過上面図である。
【図４】マイクロポンプ１の断面図である。
【図５】本体１０の内部斜視図である。
【図６】本体１０の裏面斜視図である。
【図７】カートリッジ２０の分解斜視図である。
【図８】カートリッジベース２１０の裏面斜視図である。
【図９】マイクロポンプ１の裏面斜視図である。
【図１０】ロータリーフィンガーポンプの説明図である。
【発明を実施するための形態】
【００１１】
本明細書及び添付図面の記載により、少なくとも、以下の事項が明らかとなる。すなわち、
生体に注入される流体を貯留する貯留部と、
前記流体を前記生体に注入するポンプ部と、
を備え、前記貯留部が前記ポンプ部よりも前記生体側に設けられていることを特徴とする流体注入装置である。  
このようにすることで、ポンプ部が貯留部よりも生体に対し外側に配置されるので、ポンプ部により流体を貯留する貯留部を保護することができる。そして、貯留部を破損しにくくすることができる。
【００１２】
かかる流体注入装置であって、前記ポンプ部は、前記流体が流動するチューブと、当該チューブを順次押圧する複数のフィンガーと、当該フィンガーを順次移動させるカム部と、当該カム部を回転駆動するモーター部と、を備えることが望ましい。  
このようにすることで、チューブを順次フィンガーが圧閉してチューブ内の流体を所定方向に流動させることができる。
【００１３】
また、一体的に組み立て可能な本体部とカートリッジ部とを備え、前記チューブと前記複数のフィンガーは、前記貯留部と共に前記カートリッジ部に収納され、前記モーター部と前記カム部は、前記本体部に収納され、前記カートリッジ部と前記本体部が一体として組み付けられたときに、前記カム部のカム面が前記フィンガーのフィンガー端に対向する位置に配置されることが望ましい。  
このように、フィンガーとチューブをカートリッジ部に設けることとしたので、仮に、チューブの径を異なる径のものにした場合であっても、そのチューブ径に合わせた長さのフィンガーを組み合わせたカートリッジ部を提供することができる。これにより、カムの大きさを規格化したサイズのものとしても、カムのカム面をフィンガーのフィンガー端に当接する位置に適切に配置することができる。
【００１４】
また、前記貯留部は、前記カートリッジ部においてプラスチック製の上部と、フィルム製の下部とから構成され、前記上部は曲面で構成されることが望ましい。  
このようにすることで、流体の残量に応じて貯留部のフィルムが変形するので、流体を残留させないように絞り出すことができる。
【００１５】
また、前記フィルム製の下部は、前記上部の曲面に沿う形状に加工されていることが望ましい。  
このようにすることで、貯留部における流体が減少してもフィルム製の下部が上部の曲面に沿うように変形するので、流体を残留させずに絞り出すことができる。
【００１６】
また、前記カートリッジ部は、前記貯留部におけるプラスチック製の上部と、前記フィルム製の下部と、の間に前記流体を注入するための第１セプタムを備えることが望ましい。  
このようにすることで、第１セプタムを介してプラスチック製の上部とフィルム製の下部との間に流体を注入することができる。
【００１７】
また、前記カートリッジ部から送られる前記流体を生体内に注入する注入部を備え、前記注入部は、前記カートリッジ部からの流体が注入される第２セプタムと、前記第２セプタムを介して注入された流体を生体に送るためのカテーテルと、を備えることが望ましい。  
このようにすることで、注入部を介してカートリッジ部の流体を生体に注入することができる。
【００１８】
また、前記カートリッジ部は、前記第２セプタムに挿通し前記流体を前記注入部に送るための針部材を備え、前記針部材の先端位置は、前記ポンプ部と前記貯留部が重なる高さ方向について前記貯留部と同じ高さであることが望ましい。  
このようにすることで、針部材の先端位置と貯留部の位置との高低差が小さいため、貯留部に貯留された流体を小さなエネルギーで針部材を介して注入部に輸送することができる。
【００１９】
＝＝＝実施形態＝＝＝
図１は、マイクロポンプ１の全体斜視図である。図２は、マイクロポンプ１の分離図である。マイクロポンプ１は、本体１０とカートリッジ２０とパッチ３０を備える。これら３体は、図２に示すように分離可能であるが、使用時には図１に示すように一体として組み立てられる。本実施形態におけるマイクロポンプ１は、生体に貼着され、インスリンの定期注入に好適に用いられる。
【００２０】
図３は、マイクロポンプ１の透過上面図である。図４は、マイクロポンプ１の断面図である。すなわち、図３及び図４は、本体１０とカートリッジ２０とパッチ３０が組み立てられたときの図となっている。図５は、本体１０の内部斜視図である。図６は、本体１０の裏面斜視図である。図６は、前述の図５の裏面を表す図である。図７は、カートリッジ２０の分解斜視図である。図８は、カートリッジベース２１０の裏面斜視図である。図９は、マイクロポンプ１の裏面斜視図である。
【００２１】
以下、上記図１から図９を参照しつつ、マイクロポンプ１の各部について説明する。まず、本体１０（本体部に相当）における各部の説明を行う。
【００２２】
本体１０は、本体ベース１１０と、本体ベース１１０上に構成された各部と、本体ケース１３０を備える。そして、本体ベース１１０上の各部は、本体ケース１３０により覆われ、保護される。
【００２３】
本体１０は、本体ベース１１０上に構成された回路基板１４０を備える。回路基板１４０は、プログラム等にしたがって圧電モーター１５０等の制御を行うための電子基板である。また、本体は、圧電モーター１５０を備える。圧電モーター１５０は、後述するカム１２１に回転駆動力を与えるためのモーターである。
【００２４】
圧電モーター１５０は、板状部材１５１と一対のばね１５２を備える（図３）。ばね１５２は、その弾性力により板状部材１５１をローター車１２８に向けて付勢する。板状部材１５１は、前述のようにローター車１２８に向けて付勢されており、その先端部がローター車１２８の円周面に接触する。
【００２５】
板状部材１５１は、層状に構成された部材である。板状部材１５１は、圧電体層と２つの電極を含んでおり、これら２つの電極に印加される電圧の変化によりその形状を変化させる。例えば、印加される電圧によって、縦振動と屈曲振動を交互に繰り返させる。縦振動は、板状部材１５１をその軸方向に長さを変化させ、屈曲振動は板状部材を略Ｓ字形状に変化させる。これらを交互に繰り返すことにより、ローター車１２８を所定方向に回転させる。
【００２６】
ローター車１２８はマイクロポンプ１の高さ方向に関して異なる位置に一体で回転するピニオンを有し、このピニオンは中間車１２７のギヤに係合し中間車１２７を回転させる。また、中間車１２７も、マイクロポンプの高さ方向に関して異なる位置に一体で回転するピニオンを有しており、このピニオンは出力軸１２６と一体として回転するギヤに係合する。これらローター車１２８と中間車１２７と出力軸１２６は、本体１０に固定された輪列受１２５により個々の軸が回転可能に固定される
ベアリング１２９に枢支される出力軸１２６には、カム１２１も一体的に回転可能に固定される。そして、出力軸１２６の回転と共にカム１２１も回転させる。これにより、圧電モーター１５０からの動力がカム１２１に伝達される。
【００２７】
図６に示されるように、本体１０の前方にはフック掛け１７１が設けられ、後方には２箇所のフック挿入口１７２が設けられている。フック掛け１７１には、カートリッジ２０の固定フック２７１が掛合し、フック挿入口１７２には固定フック２７２が掛合することにより、本体１０にカートリッジ２０を固定することができる（図２、図４）。
【００２８】
このとき、カートリッジベース２１０の上面外周の溝部にはパッキン２７３が嵌着されるので、本体１０とカートリッジ２０とが固定されると、これらにより形成される空間内に液体等が侵入しないように密閉することができる。
【００２９】
本体１０は、その裏面（図６）に、詰まり検出素子１２３と気泡検出素子１２４を備える。詰まり検出素子１２３は、例えば、圧力センサーを備える。そして、本体１０がカートリッジ２０と一体に組み付けられたときに、圧力センサーがチューブ２２５の一部に接触する。チューブ２２５の下流以降に詰まりが生じたときには、チューブ２２５内部の圧力が上昇し、チューブ２２５自体が膨張する。よって、このとき、圧力センサーを押すため、圧力センサーにより検出される圧力を監視することにより、チューブ２２５の下流以降に詰まりが生じたか否かを判定することができる。
【００３０】
また、気泡検出素子１２４は、例えば、光学センサーを備える。光学センサーは、チューブ２２５に光を照射し、その反射光を検出する。そして、チューブ２２５内に液体が占めるときの反射光と、気泡が生じたときの反射光と、の差を検出することを可能とする。これにより、チューブ２２５内に気泡が発生したか否かを判定することができる。
【００３１】
また、本体１０は、その裏面（図６）に、二次電池収納部１８０を備える。二次電池収納部１８０は、電池プラス端子１８２と電池マイナス端子１８３を有し、二次電池収納部に二次電池１８１が挿入されることにより、本体１０の各部に所定の電力供給を可能とする。
【００３２】
次に、カートリッジ２０（カートリッジ部に相当）の説明を行う。  
カートリッジ２０は、カートリッジベース２１０と、カートリッジベース押さえ２４０と、カートリッジベース上に構成される各部とを備える。カートリッジベース２１０は、後述するように、リザーバーフィルム２５０とともに貯留部２９０を構成する。
【００３３】
カートリッジ２０のカートリッジベース２１０は、その上面にフィンガーユニット２２０を備える。フィンガーユニット２２０は、フィンガーベース２２７とフィンガー２２２とチューブ２２５とフィンガー押さえ２２６を備える。また、カートリッジベース２１０の上面には、吸入用コネクター２２８と吐出用コネクター２２９が設けられる。吸入用コネクター２２８は、フィンガーユニット２２０に液体を吸入するためのコネクター２２８であり、吐出用コネクター２２９は、フィンガーユニット２２０から液体を吐出するためのコネクターである。
【００３４】
フィンガーベース２２７には、複数の溝が形成されており、これらの溝には、吸入用コネクター２２８及び吐出用コネクター２２９が挿入される。また、フィンガーベース２２７には、チューブ２２５を案内するチューブ案内溝２２７ａが円弧状に形成されており、チューブ２２５を収容する。そして、チューブ２２５の一端は吸入用コネクター２２８に密に接続され、他端は吐出用コネクター２２９に密に接続される。
【００３５】
チューブ案内溝２２７ａの円弧内側に複数のフィンガーガイド２２７ｂが形成される。フィンガーガイド２２７ｂのそれぞれは、フィンガー２２２を収容する。これにより、フィンガー２２２の先端２２２ａがチューブ２２５に対して略垂直方向となるように配設される。
【００３６】
フィンガーベース２２７の上面には、フィンガー押さえ２２６が不図示の固定螺子により固定される。これによりフィンガー２２２はフィンガーガイド２２７ｂに沿う方向にのみ摺動移動可能となる。
【００３７】
このように、フィンガー２２２とチューブ２２５をカートリッジ２０側に設けることとしたので、仮に、チューブ２２５の径を異なる径のものにした場合であっても、そのチューブ径に合わせた長さのフィンガー２２２を組み合わせたカートリッジ２０を提供することができる。これにより、カム１２１の大きさを規格化したサイズのものとしても、カム１２１のカム面１２１ａをフィンガー２２２の後端部２２２ｂに当接する位置に適切に配置することができる。
【００３８】
フィンガー押さえ２２６には、詰まり検出窓２２３及び気泡検出窓２２４が設けられる。本体１０とカートリッジ２０とが組み付けられたときにおいて、詰まり検出窓２２３を介して、詰まり検出素子１２３はチューブ２２５における液体の詰まりを検出する。また、気泡検出窓２２４を介して、気泡検出素子１２４がチューブ２２５内の気泡の有無を検出する。
【００３９】
カートリッジベース２１０の側面には、パッチ接続針２３１（針部材に相当）が設けられ、パッチセプタム３５０を介して液体をパッチ３０に送ることを可能にする。パッチ接続針２３１は、吐出用コネクター２２９に連通する。一方、吸入用コネクター２２８は、カートリッジベース２１０に設けられた貫通孔を介して後述する貯留部２９０に連通する。これにより、貯留部２９０の液体は、吸入用コネクター２２８とチューブ２２５と吐出用コネクター２２９を通り、パッチ接続針２３１に供給可能となる。
【００４０】
図４に示されるように、本実施形態において、パッチ接続針２３１の先端位置は高さ方向において、貯留部２９０とほぼ同じ高さである。このようにすることにより、液体はカートリッジ２０上面のチューブ２２５等を経由するものの、パッチ接続針２３１の先端位置と貯留部２９０の位置との高低差自体は小さい。よって、位置エネルギー差を小さくすることができるので、貯留部２９０に貯留された液体を小さなエネルギーでパッチ接続針２３１に送ることができる。このような構成は、上記のような省電力タイプの圧電モーター１５０を用いる場合において利点となる。
【００４１】
カートリッジ２０は、リザーバーフィルム２５０を備える。リザーバーフィルム２５０はその周囲を、カートリッジベース２１０と、カートリッジベース押さえ２４０に設けられたフィルム押さえ部２４２と、で挟み込まれる。これにより、リザーバーフィルム２５０とカートリッジベース２１０との間に貯留部２９０を構成して、この貯留部２９０に液体を貯留することができる。
【００４２】
なお、リザーバーフィルム２５０をカートリッジベース２１０に溶着により固定し、カートリッジベース押さえ２４０とカートリッジベース２１０を固定することとしてもよい。
【００４３】
カートリッジベース２１０はプラスチック製であり、リザーバーフィルム２５０が設けられる側の面は曲面形状を有している。このように、貯留部２９０は曲面形状を有しているが、貯留部２９０に貯留された液体の残量に応じてリザーバーフィルム２５０のフィルムが変形することができるので、流体を貯留部２９０に残留させないように絞り出すことができる。また、このときリザーバーフィルム２５０は、上記曲面形状に沿う形状に曲面加工されていることが望ましい。このようにすることにより、貯留部２９０における流体が減少しても、リザーバーフィルム２５０が曲面に沿うように変形するので、液体を残留させずに絞り出すことができる。
【００４４】
リザーバーフィルム２５０は、多層フィルムにより構成される。このとき、内層はポリプロピレンが望ましく、外層はガスバリア性に優れる材料が選択されることが望ましい。なお、リザーバーフィルム２５０は、これに限られず、例えば、熱可塑性エラストマーや、熱可塑性エラストマーに他の素材を貼り合わせたフィルムとしてもよい。
【００４５】
また、カートリッジ２０の下面側にはカートリッジセプタム２８０が設けられる（図９）。カートリッジセプタム２８０は、カートリッジベース２１０とカートリッジベース押さえ２４０とが組み付けられる際、カートリッジベース押さえ２４０に設けられたカートリッジセプタム挿入孔２４１に挿入される。カートリッジセプタム２８０の一方の面はパッチベース３４０及び粘着テープ３６０の開口部３４０ａ、３６０ａに露出し（図２、図９）、他方の面は流体流入口２１１に連通する。流体流入口２１１は、リザーバーフィルム２５０とカートリッジベース２１０との間に開口する。そのため、カートリッジセプタム２８０を介して注射針等で注入される液体は貯留部２９０に貯留される。
【００４６】
次に、主に図４を参照しつつ、パッチ３０（注入部に相当）の説明を行う。  
パッチ３０は、カテーテル３１０と、導入針３２０と、導入針フォルダ３２１と、導入針用セプタム３２２と、ポートベース３３０と、パッチベース３４０と、パッチセプタム３５０と、粘着テープ３６０を備える。
【００４７】
パッチセプタム３５０は、後述するようにパッチ接続針２３１が挿通されることによりパッチ３０内に液体を供給させるためのものである。パッチセプタム３５０は、パッチ３０の側壁部に設けられ、これによりリザーバー２０がパッチ３０の側面に向かって装着されたときに、パッチ接続針２３１がパッチセプタム３５０を貫通する。
【００４８】
なお、パッチセプタム３５０等のセプタムは、針等の貫通によって開いた孔が塞がるような材料（例えば、シリコーンゴム、イソプレンゴム、ブチルゴム等）で形成される。これにより、セプタムに針を抜き差ししても、液体等がセプタムを介して漏れ出ることがない。
【００４９】
カテーテル３１０は液体を注入するための管である。カテーテル３１０の一部は、ポートベース３３０に保持され、一部はポートベース３３０の下側に露出している。パッチ３０を用いて液体の注入を行う際には、カテーテル３１０の露出した部分が生体等の内部に留置され、持続的に液体を注入される。そのため、カテーテル３１０は、生体適合性に優れるフッ素樹脂、ポリウレタン樹脂等の柔らかい材料で形成される。
【００５０】
導入針３２０は、中空の細長い針状の部材であり、その外形はカテーテル３１０の内径よりも小さい。導入針３２０は、使用前においてカテーテル３２０内に挿通されている。導入針３２０の鋭端側はカテーテル３１０の下側方向に露出し、他端側は導入針フォルダ３２１に固定される。また、使用前において、導入針３２０は、ポートベース３３０内に固定される導入針用セプタム３２２を挿通している。
【００５１】
このような構成により、導入針フォルダ３２１がポートベース３３０から引き抜かれることにより導入針３２０がカテーテル３１０内から引き抜かれるが、パッチ接続針２３１から流入する液体は導入針セプタム３２２側からは漏れず、カテーテル３１０を通り生体に流入する。
【００５２】
パッチ３０は、パッチベース３４０を備えている。パッチベース３４０は、ポートベース３３０に固定されるとともに、カートリッジ固定部材３４１を備え、パッチ３０にカートリッジ２０を固定することを可能とする。カートリッジ２０がパッチ３０に接続される際には、パッチ３０に対して図２の左側からカートリッジ２０をスライド移動させる。そして、カートリッジ２０に設けられたパッチ接続針２３１がパッチセプタム３５０を貫通して、パッチ３０内に挿入される。
【００５３】
また、パッチベース３４０は、その下面に粘着テープ３６０を備える。そして、マイクロポンプ１を生体等に貼着可能とする。
【００５４】
上記のような構成における本体１０とカートリッジ２０とが一体的に組み付けられると、詰まり検出素子１２３は詰まり検出窓２２３の上部に配置され、気泡検出素子１２４は気泡検出窓２２４の上部に配置される。これにより、チューブ２２５を監視して、液体の詰まりの発生、及び、チューブ２２５内での気泡の発生を検出することができる。
【００５５】
また、本体１０とカートリッジ２０とが組み付けられると、本体１０のカム１２１がフィンガーベース２２７のカム収容部２２７ｃに挿入される。これにより、カム１２１のカム面１２１ａがフィンガー２２２の後端部２２２ｂに対向する位置に配置される。そして、カム１２１の回転によりカム面１２１ａがフィンガー２２２の後端部２２２ｂに当接し、フィンガー２２２を摺動させることができる。
【００５６】
図１０は、ロータリーフィンガーポンプの説明図である。カム１２１には、４つのカム山が形成される。各カム山は、カム山の最低部から徐々に最高部へとその高さが高くなるように遷移し、最高部に至ると隣接するカム山の最低部に移行する形状となっている。このような形状にすることにより、カム１２１が回転すると複数のフィンガー２２２の先端部２２２ａは、吸入用コネクター２２８側から吐出用コネクター２２９側に向かう方向にチューブ２２５を順次押圧する。そして、チューブ２２５内の液体を吸入用コネクター２２８側から吐出用コネクター２２９側に送ることができる。
【００５７】
上記構成によれば、ポンプ部に相当するチューブ２２５とフィンガーユニット２２０とカム１２１と圧電モーター１５０が、生体に対し貯留部２９０よりも外側に配置されるので、流体を貯留する貯留部２９０をポンプ部により保護することができる。そして、貯留部２９０を破損しにくくすることができる。
【００５８】
また、貯留部２９０とポンプ部を備えるマイクロポンプ１を小型化が望まれるが、上記のように積層配置することによって、より小型化を実現することができる。また、このとき、貯留部２９０が生体側に設けられることから、生体の体温によって貯留部の液体を保温することもできる。
【００５９】
＝＝＝その他の実施の形態＝＝＝
上述したマイクロポンプ１は、小型化、薄型化が可能で、微量流量を安定して連続的に流動することができるため、生体内または生体表面に装着し、新薬の開発やドラッグデリバリなどの医療用に好適である。また、様々な機械装置において、装置内、または装置外に搭載し、水や食塩水、薬液、油類、芳香液、インク、気体等の流体の輸送に利用することができる。さらに、マイクロポンプ単体で、流体の流動、供給に利用することができる。
【００６０】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００６１】
１  マイクロポンプ
１０  本体（本体部）、２０  カートリッジ（カートリッジ部）、
３０  パッチ（注入部）、
１１０  本体ベース、
１２１  カム、１２１ａ  カム面、１２３  詰まり検出素子、
１２４  気泡検出素子、１２５  輪列受、１２６  出力軸、１２７  中間車、
１２８  ローター車、１２９  ベアリング、
１３０  本体ケース、１４０  回路基板、
１５０  圧電モーター、１５１  板状部材、１５２  ばね、
１７１  フック掛け、１７２  フック挿入口、
１８０  二次電池収納部、１８１  二次電池、
１８２  電池プラス端子、１８３  電池マイナス端子、
２１０  カートリッジベース、２１１  流体流入口、
２２０  フィンガーユニット、
２２２  フィンガー、２２２ａ  先端部、２２２ｂ  後端部、
２２３  詰まり検出窓、２２４  気泡検出窓、
２２５  チューブ、２２６  フィンガー押さえ、
２２７  フィンガーベース、
２２７ａ  チューブ案内溝、２２７ｂ  フィンガーガイド、２２７ｃ  カム収容部、
２２８  吸入用コネクター、２２９  吐出用コネクター、
２３１  パッチ接続針（針部材）、
２４０  カートリッジベース押さえ、
２４１  カートリッジセプタム挿入孔、２４２  フィルム押さえ部、
２５０  リザーバーフィルム、
２７１  固定フック、２７２  固定フック、２７３  パッキン、
２８０  カートリッジセプタム（第１セプタム）、２９０  貯留部、
３１０  カテーテル、３２０  導入針、３２１  導入針フォルダ、
３２２  導入針用セプタム、
３３０  ポートベース、３４０  パッチベース、３４０ａ  開口部、
３４１  カートリッジ固定部材、
３５０  パッチセプタム（第２セプタム）、３６０  粘着テープ、３６０ａ  開口部
【図１】
2014079325.tif 000003
【図２】
2014079325.tif 000004
【図３】
2014079325.tif 000005
【図４】
2014079325.tif 000006
【図５】
2014079325.tif 000007
【図６】
2014079325.tif 000008
【図７】
2014079325.tif 000009
【図８】
2014079325.tif 000010
【図１０】
2014079325.tif 000011
【図９】
2014079325.tif 000012